(57)【要約】【課題】  プラットホーム長手方向に屋外で日差しの強い日でもホーム柵から速く離れた位置から容易に確認でき、しかも雨水に対しても水が溜まらない構造をなす可動式ホーム柵の表示灯を得ることを目的とする。【解決手段】  プラットホーム床１にアンカー固定されたホーム柵本体２の可動扉３の開閉によりプラットホームと軌道側を開放・閉鎖する可動式ホーム柵において、ホーム柵本体２の可動扉３側の所定部分に取り付けられ、プラットホームの長手方向に指向性が高く、屋外で日差しの強い日でも遠く離れた場所から光が確認できる発光部４を備える。【選択図】        図１
2006347498.tif 000002
【特許請求の範囲】
【請求項１】
プラットホーム床にアンカー固定されたホーム柵本体の可動扉の開閉によりプラットホームと軌道側を開放・閉鎖する可動式ホーム柵において、
上記ホーム柵本体の可動扉側の所定部分に取り付けられ、上記プラットホームの長手方向に指向性が高く、屋外で日差しの強い日でも遠く離れた場所から光が確認できる発光部を備えたことを特徴とする可動式ホーム柵の表示灯。
【請求項２】
天蓋の傾斜面を角形に穴あけしてその内部に上記発光部を設けると共に、上記天蓋の角穴外側に透明アクリル製カバーを設け、該透明アクリル製カバーは、その外形が透明のピラミッド形状で内部を四角錐状に彫りこみ、この彫り込んだ面をサンドブラスト処理し、このサンドブラスト処理した４５°の傾斜面に上記発光部からの光を当てて発光するようにしたことを特徴とする請求項１記載の可動式ホーム柵の表示灯。
【請求項３】
天蓋の傾斜面を角形に穴あけしてその内部に内部に上記発光部を設けると共に、上記天蓋の角穴外側に透明アクリル製カバーを設け、該透明アクリル製カバーは、その外形が透明のピラミッド形状で内部を四角柱状に彫りこみ、この彫り込んだ面をサンドブラスト処理し、側面の傾斜角を両側とも５６°±３°以内に施工し、この施行した部分に上記発光部からの光を当てて発光するようにしたことを特徴とする請求項１記載の可動式ホーム柵の表示灯
【発明の詳細な説明】
【技術分野】
【０００１】
この発明は、可動式ホーム柵の表示灯に関し、特に、屋外で日差しの強い日でも遠く離れた場所から光を確認でき、雨水に対して水が溜まることなく水はけのよい可動式ホーム柵の表示灯に関するものである。
【背景技術】
【０００２】
従来、可動式ホーム柵の表示灯として、天蓋の傾斜面に角形に穴あけされ、内部にＬＥＤ基板を金具に内蔵し、その金具の両側に溶接固定したＬ金具の穴部に、予め天蓋に溶植したスタッドボルトにナットを締め込み固定し、天蓋の角穴外側に透明アクリル製カバーを固定するものがある（例えば、特許文献１参照）。
【０００３】
【特許文献１】特開２００２−２５５０２６号公報
【発明の開示】
【発明が解決しようとする課題】
【０００４】
しかしながら、従来の可動式ホーム柵の表示灯は、以上のように構成されているので、乗客の乗降時にホーム柵の扉開閉に支障をきたした場合、乗務員および駅務員がプラットホーム上の中央および端の位置から遠く離れたホーム柵の表示灯を確認するが、その表示灯の光に指向性がなく（拡散性）、表示灯の高さについては天蓋頂部より上部に突出してはならない高さ制限があることから、表示灯の高さが低いので視認性が悪く近づかないと確認し難いという問題点があった。また、透明アクリル製カバーをナベネジで締め付けしているので、ネジ部に雨水が溜まり、雨水の染み込み・汚れの原因となるという問題点があった。
【０００５】
この発明は、上記のような課題を解決するためになされたもので、プラットホーム長手方向に屋外で日差しの強い日でもホーム柵から速く離れた位置から容易に確認でき、しかも雨水に対しても水が溜まらない構造をなす可動式ホーム柵の表示灯を得ることを目的とする。
【課題を解決するための手段】
【０００６】
この発明に係る可動式ホーム柵の表示灯は、プラットホーム床にアンカー固定されたホーム柵本体の可動扉の開閉によりプラットホームと軌道側を開放・閉鎖する可動式ホーム柵において、ホーム柵本体の可動扉側の所定部分に取り付けられ、プラットホームの長手方向に指向性が高く、屋外で日差しの強い日でも遠く離れた場所から光が確認できる発光部を備えたものである。
【発明の効果】
【０００７】
この発明は、透明アクリル製カバーのピラミッド形状で、その内側をピラミッド形状に下部を四角錐状に彫りこみ、この面をサンドブラスト処理した透明アクリル製カバーの４５°の傾斜面に光が当たり発光するので、天蓋頂部より上部に突出してはならない範囲で、必要な発光面積を確保でき、直接発光面を視認でき、また、透明アクリル製カバーの外形がピラミッド形状をしているので雨水が溜まらず水はけがよいという効果がある。
【発明を実施するための最良の形態】
【０００８】
以下、この発明の一実施の形態を、図１〜図６を参照して説明する。
実施の形態１．
図１は、この発明の実施の形態１による可動式ホーム柵の表示灯の取り付けられたホーム柵装置をプラットホーム側から見た全体図である。
図１において、プラットホーム床１にアンカー固定されたホーム柵本体２の可動扉３の開閉によりプラットホームと列車側（軌道側）を開放・閉鎖する。個別の可動扉３の開口部で支障により閉じることができない場合、ホーム柵本体２の可動扉３側の丸枠I部の切断面線II−IIの部分に取り付けられた発光部４が発光して点灯するようになされている。
【０００９】
図２は、この発明の実施の形態１による可動式ホーム柵の表示灯の形状を示すもので、図１の丸枠I部の切断面線II−IIの部分を切断して示す断面図である。
図２において、天蓋５の傾斜面に角形に穴あけされ内部にＬＥＤ基板６を内蔵したリップ溝形形状金具７を設け、このリップ溝形形状金具７を、その両側に溶接固定されているＬ金具８の穴部に、予め天蓋５に溶植したスタッドボルト９にナットを締め込みことで固定する。また、天蓋５の角穴外側に透明アクリル製カバー１０を設け、その全周にゴムパッキン１２をはさみ、ナベネジ１１で天蓋５に締め付け固定する。
【００１０】
図３は、図２の透明アクリル製カバー部分を示す詳細図、図４は図３の透明アクリル製カバー部分の右側面図である。
透明アクリル製カバー１０は、外形が透明のピラミッド形状で、その内側を破線で示したピラミッド形状に下部を四角錐状に彫りこみ、この面をサンドブラスト処理したもので、下部を四角錐状に彫りこんだ内部に発光部としてのＬＥＤ基板６（図２）を配置し、そのＬＥＤを点灯させると、透明アクリル製カバー１０の４５°の傾斜面に光が当たり発光する。
【００１１】
以上のように、この実施の形態１によれば、透明アクリル製カバー１０のピラミッド形状で、その内側を破線で示したピラミッド形状に下部を四角錐状に彫りこみ、この面をサンドブラスト処理した透明アクリル製カバー１０の４５°の傾斜面に光が当たり発光するので、天蓋頂部より上部に突出してはならない範囲で、必要な発光面積を確保でき、直接発光面を視認できる。また、透明アクリル製カバー１０の外形がピラミッド形状をしているので雨水が溜まらず水はけがよい。
【００１２】
実施の形態２．
図５は、この発明の実施の形態２による可動式ホーム柵の表示灯における透明アクリル製カバー部分を示す詳細図、図６は、図５の透明アクリル製カバー部分の右側面図である。
本実施の形態における取付構造については、上記実施の形態１と実質的に同一であるが、本実施の形態における透明アクリル製カバー１０Ａは、外形が透明のピラミッド形状で内部を四角柱状に彫りこみ、この面をサンドブラスト処理し、側面の傾斜角を両側とも５６°±３°以内に施工し、ＬＥＤ基板６（図２）のＬＥＤが点灯すると、水平面と側面のサンドブラスト面が発光し、一方の傾斜角５６゜の面に反射し、その反射光が図５にハッチングで示した様に見える。
【００１３】
以上のように、この実施の形態２によれば、透明アクリル製カバー１０Ａは、その内部を四角柱状に彫りこみ、この面をサンドブラスト処理したもので、一方の傾斜角５６°±３°以内の面に四角柱状水平面に設置した発光部からの光が反射し、その反射光が図５のハッチングで示したように見え、また、下部は四角形の水平面・側面が図５の如く直接視認できるので、反射光と直接光が隙間無く視認でき、特に反射光はＬＥＤの光を６７°で受け発光したものを反射しているので、同じ輝度の場合、強い光が発光され、上記実施の形態１よりさらに視認性が優れている。
また、本実施の形態でも、透明アクリル製カバー１０Ａの外形がピラミッド形状をしているので雨水が溜まらず水はけがよい。
【図面の簡単な説明】
【００１４】
【図１】この発明の実施の形態１による可動式ホーム柵の表示灯の取り付けられたホーム柵装置をプラットホーム側から見た全体図である。
【図２】この発明の実施の形態１による可動式ホーム柵の表示灯の形状を示す断面図である。
【図３】この発明の実施の形態１による可動式ホーム柵の表示灯の透明アクリル製カバー部分を示す詳細図である。
【図４】この発明の実施の形態１による可動式ホーム柵の表示灯の透明アクリル製カバー部分を示す右側面図である。
【図５】この発明の実施の形態２による可動式ホーム柵の表示灯における透明アクリル製カバー部分を示す詳細図である。
【図６】この発明の実施の形態２による可動式ホーム柵の表示灯の透明アクリル製カバー部分を示す詳細図である。
【符号の説明】
【００１５】
１    プラットホーム床、２    ホーム柵本体、３    可動扉、４    発光部、５    天蓋、６    ＬＥＤ基板、７    リップ溝形形状金具、８    Ｌ金具、９    スタッドボルト、１０，１０Ａ    透明アクリル製カバー、１１    ナベネジ、１２    ゴムパッキン。
【図１】
2006347498.tif 000003
【図２】
2006347498.tif 000004
【図３】
2006347498.tif 000005
【図４】
2006347498.tif 000006
【図５】
2006347498.tif 000007
【図６】
2006347498.tif 000008